(57)【要約】【課題】ランドセル本体が背中からズレ落ちないように構成するとともに、肩ベルトを容易に補修または交換できるランドセルを提供すること。【解決手段】ランドセル本体の背あて部の上部に取付具１２を配置する。取付具１２に一対のバックル部１３を装着して、肩ベルト５の一端に装着したタングプレート６と係合可能に構成する。バックル部１３にはリターンスプリングに支持された係止爪部１３３を配置し、タングプレート６をバックル部１３の上方から挿入する。バックル部１３内に侵入したタングプレート６を係止可能に構成することによって、肩ベルト５をランドセル本体に着脱可能に構成する。【選択図】図２
2006025998.tif 000002
【特許請求の範囲】
【請求項１】
背あて部を有するランドセル本体と前記背あて部に一端が装着される一対の肩ベルトを備え、前記肩ベルトが、前記背あて部に対して、ランドセル本体が背から離れることを防止する背離れ防止手段で連結されるランドセルであって、
前記背離れ防止手段が、前記肩ベルトの一端を前記背あて部に対して立設して配置するとともに、前記肩ベルトを、前記背あて部の上部に配置する肩ベルト取付具に着脱可能に配置するように構成されることを特徴とするランドセル。
【請求項２】
前記肩ベルトと前記肩ベルト取付具とは、いずれか一方に係合プレートを配置し、他方に係合プレートに係合可能な係合雌部を配置することを特徴とする請求項１記載のランドセル。
【請求項３】
前記係合雌部には、前記係合プレートを係止する係止部を備えていることを特徴とする請求項２記載のランドセル。
【発明の詳細な説明】
【技術分野】
【０００１】
本発明はランドセルに関し、さらに詳しくは、ランドセル本体が、背負っている子供の背中からずれ落ちて背中から離れることを防止できるランドセルに関する。
【背景技術】
【０００２】
子供の背中に当たる背あて部と、肩に掛ける肩ベルトを備えたランドセルは、登下校中、子供の歩く振動とランドセルに収納された収納物の重量とで、徐々にズレ落ちてきて、ランドセルの上部が背中から離れてくる状態になりやすい。このことは、ランドセルの重心が後方に移動することとなるから、ランドセルを背負う子供たちに疲れを生じさせて背負いにくい感じを持たせることとなっていた。
【０００３】
この課題を解決するために、従来においては、特許文献１に示すようなランドセルが提供されていた。これによると、図７に示すように、ランドセル３０は、ランドセル本体３１の背あて部３２の上部に取付具３３を設けている。この取付具３３の左右一対の連結体３４の上端にそれぞれ弾性部材３５を上方向に延設して、これら弾性部材３５に肩ベルト３６を取り付けている。取付具３３には挿通部３７１を有する連結環３７を装着して、肩ベルト３６の上端部を連結環３７の挿通部３７１に巻着するとともに弾性部材３５に固着する。そして、連結体３４を、背あて部３２の面方向に対して揺動自在に取り付けていた。
【０００４】
上記のように、弾性部材３５を連結体３４から上方行に向かって延設することよって、肩ベルト３６を肩に掛けたときに、ランドセル本体３１を背中方向に近づけることとなって、ランドセル３０の背離れ防止対策を構成できることとなっていた。
【特許文献１】特開２００４−８１８０２公報（３〜５頁、図３、図７参照）
【発明の開示】
【発明が解決しようとする課題】
【０００５】
しかし、特許文献１に示される従来のランドセル３０は、ランドセル本体３１を子供の背中側に接近させるものとして弾性部材３５を採用しているが、弾性部材３５は、長期間の使用で疲労が早くなることから、耐久性に課題を有することとなっていた。
【０００６】
一方、ランドセルは、主に、小学校の在学中に使用することから、少なくとも６年間の耐久性を有する必要がある。この場合、特に肩ベルトは子供の身体に擦れやすく接触していることから損傷を起こしやすい。
【０００７】
特許文献１の肩ベルト３６は、一端が、略三角状の連結環３７に巻着され、さらに弾性部材３５に固着されていることから、肩ベルト３６だけを修理したり交換したりする場合には、ランドセル本体３１から脱着しにくく、その作業に手間が掛かることとなっていた。
【課題を解決するための手段】
【０００８】
本発明は、上述の課題を解決するものであり、ランドセル本体を子供の背中から離れにくい構成とするとともに、肩ベルトを容易に補修したり交換したりすることのできるランドセルを提供することを目的とする。そのために、本発明に係るランドセルを、以下のように構成するものである。すなわち、
請求項１記載の発明では、背あて部を有するランドセル本体と前記背あて部に一端が装着される一対の肩ベルトを備え、前記肩ベルトが、前記背あて部に対して、ランドセル本体が背から離れることを防止する背離れ防止手段で連結されるランドセルであって、
前記背離れ防止手段が、前記肩ベルトの一端を前記背あて部に対して立設して配置するとともに、前記肩ベルトを、前記背あて部の上部に配置する肩ベルト取付具に着脱可能に配置するように構成されることを特徴とするものである。
【０００９】
請求項２記載の発明では、前記肩ベルトと前記肩ベルト取付具とは、いずれか一方に係合プレートを配置し、他方に係合プレートに係合可能な係合雌部を配置することを特徴としている。
【００１０】
請求項３記載の発明では、前記係合雌部には、前記係合プレートを係止する係止部を備えていることを特徴としている。
【発明の効果】
【００１１】
請求項１記載の発明によれば、ランドセルの背あて部と肩ベルトとは、背離れ防止手段で連結されている。つまり、肩ベルトの一端を背あて部に対して立設して配置することによって、肩ベルトを子供の肩に掛ける際に、肩ベルトが背あて部に対して傾倒せずに、ランドセル本体が肩ベルトに対して常に接近することとなる。そのため、ランドセル本体が子供の背中から離れにくくなり背離れ防止対策を構成することができる。
【００１２】
また、背あて部の上部に配置した肩ベルト取付具に、肩ベルトを着脱可能に配置する構成としたことによって、肩ベルトの長期間使用による損傷に対して、補修や交換作業を極めてやりやすくすることができる。さらに、肩ベルトをランドセル本体の背あて部から取り外すことによって、ランドセルを収納する際、肩ベルトのスペース分コンパクトとなるから、ランドセル本体を収納場所に収納しやすくなる。
【００１３】
請求項２乃至３記載の発明によれば、例えば、肩ベルト一端に係合プレートを装着し、肩ベルト取付具に前記係合プレートを係合する係合雌部を配置することによって、肩ベルトをランドセルの背あて部から容易に着脱することができる。これによって、シートベルトのバックルと同様な構成をすることができることから、ワンタッチで着脱可能とすることができる。従って、肩ベルトの補修や交換作業を容易に行うことができる。
【００１４】
しかも、肩ベルトに装着した係合プレートが、肩ベルト取付具から立設することになるから、肩ベルトを子供の背中に背負うとき、肩ベルトがランドセル本体から傾倒しにくい。従って、子供の背中からランドセルが離れることを防止できることとなって、子供に疲れを生じさせない。なお、肩ベルト取付具側に係合プレートを配置して、肩ベルト側に係合雌部を配置するようにしてもよい。
【発明を実施するための最良の形態】
【００１５】
次に本発明の一形態によるランドセルを図面に基づいて説明する。
【００１６】
図１は、ランドセルの背あて部側から見た斜視図であり、ランドセル１は、ランドセル本体１０と一対の肩ベルト５、５を有して構成されている。ランドセル本体１０の背あて部１１の上部には、肩ベルト取付具（以下、取付具という。）１２が配置され、一対の肩ベルト５、５の一端が装着されている。
【００１７】
取付具１２には、図２〜３に示すように、上部から挿入できる一対の空間部１２１が中央壁１５を間にして形成されている。各空間部１２１の一方の側部には板ばね１４が配置され、中央壁１５には、ランドセル１を懸吊するためのフック１６が取り付けられている。空間部１２１には、板ばね１４に付勢された係合雌部としての一対のバックル部１３、１３が装着されている。バックル部１３の下部は取付具１２に軸支され、バックル部１３が板ばね１４の付勢力に抗して回動可能に配置されている。そして、バックル部１３は、肩ベルト５の一端に装着された係合プレートとしてのタングプレート６に係合される。
【００１８】
各バックル部１３には一対の肩ベルト５が着脱可能に配置される。つまり、バックル部１３に肩ベルト５を装着する構成は、通常の車両のシートベルトをバックルに装着する構成を利用するものであり、一般的に知られているものであれば特に限定するものではない。
【００１９】
例えば、バックル部１３が、図例においては、肩ベルト５の先端に装着されたタングプレート６の収納部１３１ａ、下部プレート部１３１ｂを備えた本体部１３１と、タングプレート６に形成された係止孔部６１に係止する係止爪部１３３と、係止爪部１３３を弾性的に支持するリターンスプリング１３４と、係止爪部１３３で係止されたタングプレート６から係止爪部１３３を解除する解除釦１３５と、を備えている。
【００２０】
肩ベルト５は、例えば、タングプレート６の端部に形成された溝部６２（図５参照）に挿入して鋲止めすることによってタングプレート６を一端に装着している。
【００２１】
なお、タングプレート６は、剛性のある金属製の材料で形成するのが望ましく、また、バックル部１３の本体部１３１は樹脂製の材料で形成され、本体部１３１の外周面を背あて部１１の表皮層（例えば牛革又は人工革で形成されている。）で覆うように形成する（図示省略）ことが望ましい。しかし、それに限定するものではない。
【００２２】
バックル部１３の収納部１３１ａは、タングプレート６を挿通する通路を形成してタングプレート６の侵入を可能としている。係止爪部１３３は、その先端部が収納部１３１ａの通路を遮るように配置され、元部が収納部１３１ａの入り口付近でリターンスプリング１３４に支持されるように止着されている。
【００２３】
従って、タングプレート６がバックル部１３の収納部１３１ａの入り口から挿入すると、通路内を遮る係止爪部１３３の先端部を、リターンスプリング１３４の付勢力に抗して傾倒させる。
【００２４】
タングプレート６がさらに通路内を挿通すると、係止爪部１３３は、タングプレート６の係止孔部６１に達し、その先端部がリターンスプリング１３４の付勢力により係止孔部６１内に移動して、係止孔部６１の先端面に係止する。これによって、タングプレート６は、バックル部１３に止着される。そして肩ベルト５がランドセル本体１０と一体的に装着される。
【００２５】
肩ベルト５は、タングプレート６が取付具１２のバックル部１３の上方から挿入しているため、図４〜５に示すように、先端部がランドセル１の背あて部１１の上方に向かって立設することとなり、子供が肩ベルト５を背負ったときに、図６に示すように、ランドセル本体１０を子供の背中側に引き寄せることとなって、背離れ防止対策を施すこととなる。
【００２６】
また、肩ベルト５をランドセル本体１０から取外す際には、図３に示すように、解除釦１３５を押圧することによって、押圧釦１３５が係止爪部１３３をタングプレート６の係止孔部６１から脱着させることとなる。その間に、タングプレート６をバックル部１３の収納部１３１ａから引き抜くことによって、タングプレート６をバックル部１３から抜くことができ、肩ベルト５を脱着することとなる。
【００２７】
脱着した肩ベルト５は、ランドセル本体１０とともに所定の収納場所に収納されるか、又は、補修又は新規に交換されることとなる。
【００２８】
なお、バックル部１３は、取付具１２の空間部１２１に収納するものではなく、バックル部１３内の構成を取付具１２の空間部１２１内に形成してもよい。つまり、取付具１２内に収納部を形成してタングプレート６を挿通する通路とし、タングプレート６の係止孔部６１に係止可能な係止爪部１３３を、リターンスプリング１３４で支持されるように収納部内に配置する。この場合、肩ベルト５を、背あて部１１の面方向に対して揺動可能に配置するために、例えば、タングプレート６を係合するプレート受け部を収納部内に揺動可能に配置することが望ましい。
【００２９】
また、上述のバックル部１３を肩ベルト５側に配置して、タングプレート６を取付具１２側に配置してもよい。
【００３０】
上記のように構成されたランドセル１は、登下校の際には、肩ベルト５を装着した状態で使用する。つまり、一対の肩ベルト５、５のタングプレート６、６を背あて部１１の上部に配置された取付具１２のバックル部１３、１３に上方から挿入する。タングプレート６は、例えば、剛性のある金属製の材料で形成されていることから、肩ベルト５の一端は、取付具１２に対して上方に立ち上がるように装着されることとなる。
【００３１】
次に、ランドセル１を学校または家庭内の収納場所に収納する場合、特に、ランドセル１の収納場所が狭い場所にある場合、または、肩ベルト５が擦り減ったり傷ついたりして、肩ベルト５を補修または交換したいとき、肩ベルト５をランドセル本体１０から脱着する。この場合、バックル部１３に配置された解除釦１３５を押し込み操作する。すると、解除釦１３５によって係止爪部１３３が、リターンスプリング１３４の付勢力に抗して、タングプレート６の係止孔部６１から外れる方向に移動してタングプレート６をバックル部１３から取り外すことができる。
【００３２】
上述のように、実施形態のランドセル１は、肩ベルト５をランドセル本体１０から着脱することができることから、次の効果を達成することができる。
【００３３】
（１）肩ベルト５が擦れて損傷した場合あるいは新規のデザインのものに交換したい場合に、補修または交換作業を容易に行うことができる。
【００３４】
（２）ランドセル１を狭い収納場所に収納する際、肩ベルト５をランドセル本体１０から脱着して分割して収納することによってスペースを確保することができる。
【００３５】
（３）肩ベルト５の一端にタングプレート６を装着して、ランドセル本体１０の背あて部１１に配置するバックル部１３に上方から装着可能に構成すれば、剛性を有するタングプレート６は、バックル部１３から上方に向かって立ち上がることになるから、肩ベルト５は、背あて部１１に対して傾倒しない状態となる。これによって、ランドセル本体１０が、肩ベルト５側から離れにくくなって、背離れ防止対策を構成することができる。従って、子供に負担を掛けることなく快適にランドセルを背負うことができる。
【００３６】
なお、本発明のランドセルは、上記の形態に限定するものではない。例えば、背あて部に配置するバックル部の構成は、従来から知られている車両のシートベルトを係着するあらゆる構成のものを利用することができる。
【００３７】
また、タングプレートは必ずしも金属製の材料で形成されていなくても、例えば、剛性を有する樹脂製の材料で形成されていてもよい。
【図面の簡単な説明】
【００３８】
【図１】本発明の一形態のランドセルを示す斜視図である。
【図２】図１におけるランドセルの要部を示す拡大図である。
【図３】図２におけるバックル部内部を示す側面断面図である。
【図４】図３のタングプレートをバックル部に装着した状態を示す斜視図である。
【図５】同側面一部断面図である。
【図６】図１のランドセルを背負った状態を示す斜視図である。
【図７】従来のランドセルの要部を示す拡大側面図である。
【符号の説明】
【００３９】
１、ランドセル
５、肩ベルト
６、タングプレート（係合プレート）
１０、ランドセル本体
１１、背あて部
１２、取付具
１３、バックル部（係合雌部）
１３３、係止爪部（係止部）
【図１】
2006025998.tif 000003
【図２】
2006025998.tif 000004
【図３】
2006025998.tif 000005
【図４】
2006025998.tif 000006
【図５】
2006025998.tif 000007
【図６】
2006025998.tif 000008
【図７】
2006025998.tif 000009